(57)【要約】      （修正有）【課題】歌唱やゲーム等において高い評価のプレイに対して、難易度を加味した採点方法を提供する。【解決手段】各要素ごとの標準配点があらかじめ決められていながら、個別の要素における評価が著しく高い場合に、標準配点を越える採点を許容する評価採点方式において、評価が標準配点を越えているときは分子と分母に任意の数を加算し、評価が標準配点以内のときは、分母にのみ一定任意の数を加算し、分子を分母で除した商に１００を乗じた値を得点とし、加算する任意の数は、達成度合いに応じて変化させる。重み付１（加算する数を１）とした場合歌唱得点は、分子＝２７、分母＝３０となり、（分子÷分母）ｘ１００＝９０点となる。【選択図】図３
2019015904.tif 000002
【特許請求の範囲】
【請求項１】
各要素ごとの標準配点があらかじめ決められていながら、個別の要素における評価が著しく高い場合に、標準配点を越える採点を許容する評価採点方式において、
各要素を評価する際、
採点結果が前記標準配点以下の場合は、分母に標準配点を加算し、分子には当該採点結果を加算し、
採点結果が前記標準配点を越える場合は、分子と分母に当該採点結果を加算し、
分子を分母で除した商に標準配点における満点を乗じた値を得点とする採点することで、
特定の要素における著しく高い評価に対しては、標準配点の配点率より当該要素の配点率が高まることを特徴とする採点方式。
【発明の詳細な説明】
【技術分野】
【０００１】
本発明は、特定の要素における著しく高い評価結果を適正に採点できる技術に関する。
【背景技術】
【０００２】
採点機能を有するカラオケ装置は、マイクより入力された歌唱者の音声信号をピッチ検出して、演奏楽曲の主旋律等の楽譜データをもとにした楽譜情報とを比較して採点を行うようになっている。
【０００３】
ピッチ検出した歌唱者の歌唱を音符ごとに誤差の許容範囲（閾値）を設けて、ひとつひとつを採点する方法は各社から提案されている。
【先行技術文献】
【特許文献】
【０００４】
【特許文献１】特開２０１６−０７５７５４号公報
【特許文献２】特開２０１６−１１４７２６号公報
【特許文献３】特開２０１６−０７５７５３号公報
【発明の概要】
【発明が解決しようとする課題】
【０００５】
特許文献１は、利用者によるカラオケ歌唱の巧拙を採点するカラオケ採点装置において、歌唱時間の長短に関わらず同等の採点を行えるようにする為、楽曲データを記憶する記憶手段と、読み出された演奏データに基づくカラオケ演奏を行うとともに、リファレンスデータを参照する演奏手段と、リファレンスデータと歌唱音声を比較し、それぞれの音高の差分が閾値未満か否かによって音符毎に合格又は不合格の判定を行い、カラオケ楽曲における合格した音符数の比率によって得点を算出する採点手段とを備える。そして、採点手段は、歌唱量情報に示される歌唱量に基づいて、判定を行うための閾値を変更する。
【０００６】
特許文献２は、ユーザ自身の音高を示す画像と許容限界を示す画像とをモニタに表示し、自身の音高のずれについてユーザに注意を喚起させるカラオケ装置を提供する。
【０００７】
特許文献３は、カラオケ楽曲の演奏とともに、演奏に同期して歌唱旋律における各音符の音高情報と区切り情報を含むリファレンスデータを取得する演奏手段と、歌唱音声を入力する歌唱音声入力手段と、区切り情報（ノートオン、ノートオフ）によって識別される音符毎に、歌唱音声の音高を記録する記録手段と、リファレンスデータに含まれる連続する２つの音符の音高差と、当該２つの音符に対応する、記録した歌唱音声に含まれる２つの音符の音高差の差分の比較によって採点する第１の採点手段を備える。
【課題を解決するための手段】
【０００８】
特許文献１、特許文献３は、歌唱者の音高と閾値との関係から合否を決定して、全体の音符数の中で合格した音符数の比率を採点結果としている。
特許文献２は、歌唱中の音高の許容範囲を示して歌唱者に注意を喚起すものであり、許容範囲を一定回数超えた場合は歌唱を中止するというもので、採点が目的ではない。
歌唱等の評価において、特定の要素の著しく高い技や箇所を評価する方法がなく、またそのような評価を実現した場合には標準的な評価尺度の中で評価することができない。
【０００９】
上記の課題を解決するため、本発明の請求項１は、
各要素ごとの標準配点があらかじめ決められていながら、個別の要素における評価が著しく高い場合に、標準配点を越える採点を許容する評価採点方式において、
各要素を評価する際、
採点結果が前記標準配点以下の場合は、分母に標準配点を加算し、分子には当該採点結果を加算し、
採点結果が前記標準配点を越える場合は、分子と分母に当該採点結果を加算し、
分子を分母で除した商に標準配点における満点を乗じた値を得点とする採点することで、
特定の要素における著しく高い評価に対しては、標準配点の配点率より当該要素の配点率が高まることを特徴とする採点方式である。
【発明の効果】
【００１０】
これにより、難易度を加味した採点方法が実現される。
【図面の簡単な説明】
【００１１】
【図１】本発明の実施例１に係るイメージ図
【図２】本発明の実施例１に係る採点結果の比較例
【図３】本発明の実施例２に係るイメージ図
【図４】本発明の実施例２の図５の凡例図
【図５】本発明の実施例２に係るイメージ図
【発明を実施するための形態】
【００１２】
本発明の実施例１を図１に示す。
図１は国語のテストの例で、「漢字の読み方」が５点で５問、「漢字の書き取り」テストが５点で５問、作者の意図を問う論述式が２５点で２問あったとする。（合計で１００点）
ここで、ある生徒の解答として、
「漢字の読み方」は５問中３問正解、「漢字の書き取り」は５問中２問正解した。
また論述では、１問が２５点中２０点だったが、２問目は著しく評価の高い内容で２５点満点ではあるが５０点の価値があると評価された。
【００１３】
従来の評価では、５ｘ３＋５ｘ２＋２０＋２５＝７０となり７０点であるが、
本発明によれば、図２のように
分子＝５＋５＋５＋０＋０＋５＋５＋０＋０＋０＋２０＋５０＝９５、
分母＝５＋５＋５＋５＋５＋５＋５＋５＋５＋５＋２５＋５０＝１２５、
となり、分子を分母で除した商（９５÷１２５）は７６点となり、従来の評価７０点より高い評価を得ることができる。
【００１４】
本発明の別の実施例を図３、図５に示す。
本発明は、正答率を百分率で示す歌唱採点においても有効である。
図３の実施例では、音符のリファレンス音高２と実際の歌唱音高３の差分が、一定の音高許容範囲４内にあるかどうかを基準として各歌唱音高における合格不合格を決めるというものである。
【００１５】
図３において、リファレンスノートオンの時間（図３の例では四分音符の時間）においては、
ピッチ検出された歌唱者の歌唱音高３が許容範囲４にある場合には、分子・分母ともに１を加算し、
歌唱音高３が許容範囲４にない場合には分母のみに１を加える。
【００１６】
リファレンスノートオフの時間（図３の例では四分休符の時間）においては、分子、分母とも加算しない。
【００１７】
歌唱した時点までの分子を分母で除した商に１００を乗じることで、１００を越えない数字を得点として得ることができる。
【００１８】
図３の例で重み付１（加算する数を１）とした場合歌唱得点は、
分子＝０＋１＋１＋１＋１＋１＋１＋１＋０＋１＋１＋１＋０＋１＋１＋１＋１＋０＋０＋１＋１＋１＋１＋１＋１＋１＋１＋１＋１＋１＋１＋１＝２７
分母＝１＋１＋１＋１＋１＋１＋１＋１＋１＋１＋１＋１＋１＋１＋１＋１＋１＋０＋０＋１＋１＋１＋１＋１＋１＋１＋１＋１＋１＋１＋１＋１＝３０
（分子÷分母）ｘ１００＝９０点となる。
【００１９】
一方、本発明は、リファレンスと比較した歌唱の正確さにおいて、著しく高い評価結果を出した場合において適合度が高い。
【００２０】
図５は、図３と同じ歌唱で許容範囲内でも歌唱の正確性が高いときは５として、重み付５（加算する数を５）とした場合の図である。
図４は、図５における音程許容範囲の定義であり、リファレンス音程を中心に許容範囲４を重み付１の音高範囲７とし、許容範囲４よりさらに厳しい、狭い音程範囲を重み付５の音高範囲８としている。
【００２１】
上記加算する数（上記実施例では１）は、パフォーマンスの高い箇所では、数値を増やす（１を超える数を加算する）ことで、許容範囲内でも歌唱の正確性が高いときは、採点箇所の重みづけをすることができる。
この場合歌唱者の得点は、
分子＝０＋１＋５＋５＋５＋５＋５＋５＋０＋１＋１＋１＋０＋１＋５＋５＋５＋０＋・・・＋０＋５＋５＋１＋１＋１＋１＋１＋１＋１＋１＋１＋１＋１＝７１
分母＝１＋１＋５＋５＋５＋５＋５＋５＋１＋１＋１＋１＋１＋１＋５＋５＋５＋０＋・・・＋０＋５＋５＋１＋１＋１＋１＋１＋１＋１＋１＋１＋１＋１＝７４
（分子÷分母）ｘ１００＝９６点となり、重み付の効果が得点の差に表れる。
【符号の説明】
【００２２】
１    楽譜イメージ
２    リファレンス音高
３    一定頻度でピッチ検出された歌唱音高
４    音高許容範囲
７    重み付１の音高範囲
８    重み付５の音高範囲
【図１】
2019015904.tif 000003
【図２】
2019015904.tif 000004
【図３】
2019015904.tif 000005
【図４】
2019015904.tif 000006
【図５】
2019015904.tif 000007